(57)【要約】【課題】  従来に比べて顧客誘引力が強いカプセル商品自動販売機を提供する。【解決手段】  多数のランダムに混ざり合った商品入りカプセルから成るカプセル群を収容するストッカーと、カプセル群から個々のカプセルを分離してストッカー外へ排出する第１排出装置と、ストッカーから排出されたカプセルを取り出す取り出し口とを備えるカプセル商品自動販売機であって、ストッカーから排出されたカプセルを収容するカプセル収容部材を無端軌道上に相互に所定間隔を隔てて複数有し上下に回転する観覧車と、前記カプセル収容部材からカプセルを排出する第２排出装置とを、第１排出装置と取り出し口との間に備えると共に、第２排出装置を操作する操作部を備える。【選択図】  図３
0003139189.tif 000002
【実用新案登録請求の範囲】
【請求項１】
多数のランダムに混ざり合った商品入りカプセルから成るカプセル群を収容するストッカーと、カプセル群から個々のカプセルを分離してストッカー外へ排出する第１排出装置と、ストッカーから排出されたカプセルを取り出す取り出し口とを備えるカプセル商品自動販売機であって、ストッカーから排出されたカプセルを収容するカプセル収容部材を無端軌道上に相互に所定間隔を隔てて複数有し上下に回転する観覧車と、前記カプセル収容部材からカプセルを排出する第２排出装置とを、第１排出装置と取り出し口との間に備えると共に、第２排出装置を操作する操作部を備えることを特徴とするカプセル商品自動販売機。
【請求項２】
商品展示部を観覧車の周りに備えることを特徴とする請求項１に記載のカプセル商品自動販売機。
【請求項３】
観覧車を螺旋状に取り囲み、第２排出装置を介してカプセル収容部材から排出されたカプセルを取り出し口まで搬送するシュートを備えることを特徴とする請求項１又は２に記載のカプセル商品自動販売機。
【請求項４】
カプセル収容部材は皿であり、水平軸線周りに揺動可能に皿を水平に支持する支持部材を備え、第２排出装置は、皿に係脱可能であり皿に係合して皿を前記水平軸線周りに揺動させ傾斜させる爪部材と、爪部材を皿に係合可能な稼働位置と皿から離脱した退避位置との間で駆動する駆動装置とを有することを特徴とする請求項１乃至３の何れか１項に記載のカプセル商品自動販売機。
【請求項５】
爪部材が稼働位置に在る時にシュート入口を開き、爪部材が退避位置に在る時にシュート入口を塞ぐゲート部材を備えることを特徴とする請求項４に記載のカプセル商品自動販売機。
【請求項６】
爪部材とゲート部材とが一体であることを特徴とする請求項５に記載のカプセル商品自動販売機。
【考案の詳細な説明】
【技術分野】
【０００１】
本考案は、カプセル商品自動販売機に関するものである。
【背景技術】
【０００２】
玩具等の商品を収納したカプセルがランダムに多数混ざり合って形成されたカプセル群を収容するストッカーと、カプセル群から個々のカプセルを分離してストッカー外へ排出する排出装置と、ストッカーから排出されたカプセルを取り出す取り出し口とを備えるカプセル商品自動販売機が特許文献１等に開示されている。
従来のカプセル商品自動販売機を利用する商品購入者は、操作レバーを操作して排出装置を作動させ、ストッカーに収容されたカプセル群から不特定のカプセルを１個排出させ、取り出し口から取り出す。
【特許文献１】特開２００６−２６８２４７号公報
【考案の開示】
【考案が解決しようとする課題】
【０００３】
特許文献１等に開示された従来のカプセル商品自動販売機には、排出装置がストッカーの底部に配設されており、排出装置の周囲空間が多数のカプセルで満たされているために、排出されるカプセルを視認することが困難であり、ひいては所望の商品が収納されたカプセルを取り出すことが困難なので、顧客誘引力が弱いという問題がある。
本考案は上記問題に鑑みてなされたものであり、多数のランダムに混ざり合った商品入りカプセルから成るカプセル群を収容するストッカーと、カプセル群から個々のカプセルを分離してストッカー外へ排出する排出装置と、ストッカーから排出されたカプセルを取り出す取り出し口とを備えるカプセル商品自動販売機であって、従来に比べて顧客誘引力が強いカプセル商品自動販売機を提供することを目的とする。
【課題を解決するための手段】
【０００４】
上記課題を解決するために、本考案においては、多数のランダムに混ざり合った商品入りカプセルから成るカプセル群を収容するストッカーと、カプセル群から個々のカプセルを分離してストッカー外へ排出する第１排出装置と、ストッカーから排出されたカプセルを取り出す取り出し口とを備えるカプセル商品自動販売機であって、ストッカーから排出されたカプセルを収容するカプセル収容部材を無端軌道上に相互に所定間隔を隔てて複数有し上下に回転する観覧車と、前記カプセル収容部材からカプセルを排出する第２排出装置とを、第１排出装置と取り出し口との間に備えると共に、第２排出装置を操作する操作部を備えることを特徴とするカプセル商品自動販売機を提供する。
本考案においては、カプセル商品自動販売機は、ストッカーから排出されたカプセルを収容するカプセル収容部材を無端軌道上に相互に所定間隔を隔てて複数有し上下に回転する観覧車と、前記カプセル収容部材からカプセルを排出する第２排出装置とを、ストッカーからカプセルを排出する第１排出装置と取り出し口との間に備えるので、商品購入者は観覧車のカプセル収容部材に収容されたカプセルを目視することができ、手動操作部を操作し第２排出装置を作動させて所望の商品を収納したカプセルをカプセル収容部材から排出させ、取り出し口から取り出すことができる。商品購入者は、従来のカプセル商品自動販売機に比べて容易に所望の商品を取り出すことができるので、カプセル商品自動販売機に魅力を感じる。この結果、カプセル商品自動販売機の顧客誘引力が向上する。
【０００５】
本考案の好ましい態様においては、カプセル商品自動販売機は、商品展示部を観覧車の周りに備える。
観覧車は商品購入者の注意を引くので、観覧車の周りに商品展示部を配設することにより、カプセルの中身である商品を商品購入者に容易に認識させることができ、カプセル商品自動販売機の顧客誘引力が向上する。
【０００６】
本考案の好ましい態様においては、カプセル商品自動販売機は、観覧車を螺旋状に取り囲み、第２排出装置を介してカプセル収容部材から排出されたカプセルを取り出し口まで搬送するシュートを備える。
カプセルが螺旋状のシュートを転がり落ちる様が商品購入者の興味を引くことにより、カプセル商品自動販売機の顧客誘引力が向上する。
【０００７】
本考案の好ましい態様においては、カプセル収容部材は皿であり、カプセル商品自動販売機は、水平軸線周りに揺動可能に皿を水平に支持する支持部材を備え、第２排出装置は、皿に係脱可能であり皿に係合して皿を前記水平軸線周りに揺動させ傾斜させる爪部材と、爪部材を皿に係合可能な稼働位置と皿から離脱した退避位置との間で駆動する駆動装置とを有する。
爪部材を駆動して稼働位置へ移動させると、観覧車の無限軌道に沿って移動する皿が爪に係合して傾斜し、皿からカプセルが排出される。
【０００８】
本考案の好ましい態様においては、カプセル商品自動販売機は、爪部材が稼働位置に在る時にシュート入口を開き、爪部材が退避位置に在る時にシュート入口を塞ぐゲート部材を備える。
爪部材が稼働位置に在る時にのみシュート入口を開くことにより、取り出し口へのカプセルの予定外の搬出を防止することができる。
【０００９】
本考案の好ましい態様においては、爪部材とゲート部材とが一体である。
爪部材とゲート部材とを一体化することにより、部品数が減少する。
【考案の効果】
【００１０】
本考案においては、カプセル商品自動販売機は、ストッカーから排出されたカプセルを収容するカプセル収容部材を無端軌道上に相互に所定間隔を隔てて複数有し上下に回転する観覧車と、前記カプセル収容部材からカプセルを排出する第２排出装置とを、ストッカーからカプセルを排出する排出装置と取り出し口との間に備えるので、商品購入者は観覧車のカプセル収容部材に収容されたカプセルを目視することができ、手動操作部を操作し第２排出装置を作動させて所望の商品を収納したカプセルをカプセル収容部材から排出させ、取り出し口から取り出すことができる。商品購入者は、従来のカプセル商品自動販売機に比べて容易に所望の商品を取り出すことができるので、カプセル商品自動販売機に魅力を感じる。この結果、カプセル商品自動販売機の顧客誘引力が向上する。
【考案を実施するための最良の形態】
【００１１】
図１に示すように、カプセル商品自動販売機Ａは、正面に左右一対の透明窓１ａが形成され左右側面に透明窓１ｂが形成された箱体から成るストッカー１と、ストッカー１の直下に配設され上下に延在する半円筒形状の正面と左右側面の前方部分とが連続した透明窓２ａを形成する筒体から成る観覧車収納部２と、観覧車収納部２の直下に配設され正面上部に左右一対の始動ボタン３ａ’、３ａと左右一対の停止ボタン３ｂ’、３ｂとが取り付けられ、正面下部にカプセル取り出し口３ｃが取り付けられ、図示しない制御装置が内部に取り付けられた箱体から成るベース３とを備えている。
【００１２】
ストッカー１の内部空間は、前後に延在する壁により左右一対の収納区画に分割されている。各区画の底壁に図示しない円形開口が形成され、当該円形開口に重畳可能な円形開口を周方向に所定ピッチで複数有する図示しない回転円板と回転円板駆動用の図示しないモータとが前記底壁上に配設されている。
回転円板には中心部から放射状に斜め上方へ延びるカプセル攪拌用の複数の棒状部材が取り付けられている。
各区画には、重畳した回転円板の円形開口と区画底壁の円形開口とを通って複数のカプセルが連続してストッカーから排出されるのを防止するための邪魔部材が、前記底壁の円形開口の上方で且つ回転円板の上方に、配設されている。
右区画底壁の円形開口と円板と円板駆動用のモータと攪拌部材と邪魔部材とによって右側の第１排出装置が構成され、左区画底壁の円形開口と円板と円板駆動用のモータと攪拌部材と邪魔部材とによって左側の第１排出装置が構成されている。
最低部が第１排出装置の回転円板と同一高さ位置に位置決めされた図示しない傾斜板が前記各区画の底部を覆っている。
【００１３】
図２、３に示すように、観覧車収納部２内には、観覧車４が配設されている。観覧車４は、左右方向に水平に延在する軸線周りに回転可能な上下一対のプーリー４ａと、上下一対のプーリー４ａ間に掛け渡された無端チェーン４ｂと、互いに所定間隔を隔てて且つ左右方向に水平に延在する軸線周りに揺動可能に二股の交差部が無端チェーンの右側面に取り付けられると共に、両腕の中央部から先端へ至る部分が水平に右方へ延びた弥次郎兵衛形状且つ音叉形状の複数の右支持腕４ｃと、右支持腕４ｃの右方向へ水平に延在する両腕中央部によって重心を含む大部分が水平に支持されると共に前後に水平に延在する軸線周りに揺動可能に右端下部が前記両腕の先端部に取り付けられた右支持腕４ｃと同数の右皿４ｄと、互いに所定間隔を隔てて且つ左右方向に水平に延在する軸線周りに揺動可能に二股の交差部が無端チェーンの左側面に取り付けられると共に、両腕の中央部から先端へ至る部分が水平に左方へ延びた弥次郎兵衛形状且つ音叉形状の複数の左支持腕４ｃ’と、左支持腕４ｃ’の左方向へ水平に延在する両腕中央部によって重心を含む大部分が水平に支持されると共に前後に水平に延在する軸線周りに揺動可能に左端下部が前記両腕の先端部に取り付けられた左支持腕４ｃ’と同数の左皿４ｄ’と、下側のプーリー４ａを回転駆動する図示しないモータとを有している。当該モータが回転すると、プーリー４ａは右方向から見て右回りに回転する。この結果、図３（ａ）に白抜矢印で示すように無端チェーン４ｂの前側走行部が上昇し、白抜二重矢印で示すように後側走行部が下降する。
ストッカー１の右区画の底壁に形成された円形開口は、最高位置に在る右皿４ｄの直上に位置決めされており、ストッカー１の左区画の底壁に形成された円形開口は、最高位置に在る左皿４ｄ’の直上に位置決めされている。
【００１４】
図２（ａ）、（ｂ）、図３（ｂ）に示すように、観覧車４は左右半部分５ａ’、５ａに分割可能な上下に延在する筒状透明カバー５内に収納されている。右半部分５ａの上部右側面に、観覧車の無端チェーン４ｂの前側走行部に取り付けられた右皿４ｃに対峙可能な右開口５ｂが形成され、左半部分５ａ’の上部左側面に、観覧車の無端チェーン４ｂの前側走行部に取り付けられた左皿４ｃ’に対峙可能な左開口５ｂ’が形成されている。
【００１５】
図２に示すように、上端入口６ａが筒状透明カバーの開口５ｂに対峙する螺旋状のシュート６と、上端入口６ａ’が筒状透明カバーの開口５ｂ’に対峙する螺旋状のシュート６’とが、筒状透明カバー５を取り巻いて上下に延在し、観覧車収納部２内に配設されている。
シュート６の下端出口６ｂとシュート６’の下端出口６ｂ’とは、ベース３の天井壁に形成された搬出通路入口開口３ｄの直上に位置決めされている。下端出口６ｂ、６ｂ’と入口開口３ｄとを連結する半円形溝型断面の案内部材６ｃが配設されている。搬出通路出口開口はカプセル取り出し口３ｃを形成している。
【００１６】
図２（ｂ）に示すように、シュート６の上端入口６ａを開閉するゲート部材７が配設されている。ゲート部材７は下端部を通って前後に延在する軸線周りに揺動可能に筒状透明カバーの右半部分５ａに取り付けられている。ゲート部材７の下端から爪部材８が下方へ延びている。ゲート部材７と爪部材８とは一体形成されている。ゲート部材７をその下端部を通って前後に延在する軸線回りに揺動させるモータ９が筒状透明カバーの右半部分５ａに固定されている。爪部材８とモータ９とによって右側の第２排出装置が形成されている。
ゲート部材７と同様のゲート部材７’と、爪部材８と同様の図示しない爪部材と、モータ９と同様の図示しないモータとが、ゲート部材７等と同様の態様で筒状透明カバーの左半部分５ａ’に取り付けられている。爪部材８と同様の図示しない爪部材と、モータ９と同様の図示しないモータとによって、左側の第２排出装置が形成されている。
【００１７】
左右一対の第１排出装置のモータと、左右一対の第２排出装置のモータと、観覧車４のモータとは、ベース３内に配設された図示しない制御装置によって制御される。
図２（ａ）、３（ａ）に示すように、観覧車収納部２の平坦な底壁は観覧車４を取り囲んでいる。前記底壁の上面前部は、商品を収納したカプセルの展示スペース１０を形成している。
【００１８】
カプセル商品自動販売機Ａの作動を説明する。
それぞれが種類の異なる１個の玩具を収納した多数の透明カプセルが、予め保守要員によってストッカー１の左右両区画にランダムに混ざり合って収納されている。
観覧車４の全ての皿が空荷状態のカプセル商品自動販売機Ａの図示しない電源スイッチがＯＮされると、観覧車４と左右の第１排出装置とが作動を開始する。
最高位置に最も近い皿が最高位置に達すると観覧車４が停止する。第１排出装置の回転円板が回転して回転円板の円形開口が収納区画底壁の円形開口に正対し、回転円板の円形開口に嵌合していた１個のカプセルが、収納区画内に収納された多数のランダムに混ざり合った商品入りカプセルから成るカプセル群から分離されて、収納区画から下方へ排出される。当該カプセルは収納区画底壁の円形開口の直下に位置する観覧車４の皿に乗る。観覧車４が回転し次の皿が最高位置に達すると観覧車４が停止し、第１排出装置が作動して観覧車４の皿にカプセルが供給される。観覧車４の断続的な回転と第１排出装置の回転円板の断続的な回転とが継続して、全ての右皿４ｄと左皿４ｄ’とにそれぞれ１個のカプセルが乗る。
第１排出装置が停止してカプセルのストッカー１からの排出が終了し、観覧車４が停止する。
【００１９】
カプセル購入希望者が左右の始動ボタン３ａ’、３ａの何れか一方を押すと観覧車４が作動を開始する。それぞれが１個のカプセルを乗せた複数の皿４ｄ、４ｄ’が観覧車４の上下回転に伴って上下に旋回移動する。カプセル購入希望者は、筒状透明カバー５と透明窓２ａとを介して、カプセル商品自動販売機Ａの外側から皿４ｄ、４ｄ’に乗って上下に旋回移動するカプセルを目視し、カプセルに収納された玩具の種類を認識する。
所望の玩具を収納したカプセルを乗せた皿４ｄ又は皿４ｄ’が上昇してシュート６の入口６ａ又はシュート６’の入口６ａ’に接近した時に、カプセル商品購入希望者は停止ボタン３ｂ又は停止ボタン３ｂ’を押す。
【００２０】
カプセル商品購入希望者が停止ボタン３ｂを押すと、右側の第２排出装置が作動を開始し、図４（ａ）に示すように起立してシュート６の入口６ａを塞いでいたゲート部材７が図４（ｂ）に示すように入口６ａ側に倒れて入口６ａを開き、図４（ａ）に示すように下方へ延びて右皿４ｄとは係合しない退避位置にあった爪部材８が図４（ｂ）に示すように右皿４ｄの右端部に係合可能な稼働位置まで揺動する。
所望の玩具を収納したカプセルを乗せた右皿４ｄが筒状透明カバーの右開口５ｂとシュート６の入口６ａとに対峙する高さ位置まで上昇すると、図４（ｃ）に示すように右皿４ｄの右端部が下方から爪部材８に当接して爪部材８から下向きの力を受ける。この結果、右支持腕４ｃの両腕中央部によって水平に支持されていた右皿４ｄが図４（ｄ）に示すように右端下部を通る前後に延在する軸線回りに揺動して右下がりに傾斜する。
右皿４ｄに乗っていたカプセルが右皿４ｄから排出される。カプセルを放出した右皿４ｄが更に上昇すると図４（ｅ）に示すように右皿４ｄの右端部と爪部材８との係合が解除され、右皿４ｄは右下がりの傾斜角が減少する方向へ自重で揺動して支持腕４ｃによって水平に支持される。
右側の第２排出装置が作動を停止し、図４（ａ）に示すようにゲート部材７は起立し爪部材８はゲート部材７の下端から下方へ延びて右皿４ｄに係合しない退避位置に復帰する。カプセルを放出した皿４ｄが最高位置に達すると観覧車４が停止する。
右区画の第１排出装置が作動し、空になった右皿４ｄに商品を収納したカプセルが１個供給される。
右皿４ｄから排出されたカプセルは、筒状透明カバーの右開口５ｂと入口６ａとを通ってシュート６に進入し、螺旋状のシュート６を転がり落ち、出口６ｂと案内部材６ｃと入口３ｄとを通って取り出し口３ｃまで搬出される。
カプセル商品購入希望者が、停止ボタン３ｂに代えて停止ボタン３ｂ’を押した場合には、左側の第２排出装置が作動を開始し、ゲート部材７’が入口６ａ’を開閉し、シュート６’を介して左皿４ｄ’に乗ったカプセルを取り出し口３ｃまで搬出する。
【００２１】
カプセル商品自動販売機Ａは、無端軌道上に相互に所定間隔を隔てて配設されたカプセル載置用の複数の皿４ｄ、４ｄ’を有し上下に回転する観覧車４と、前記皿４ｄ、４ｄ’からカプセルを排出する第２排出装置とを、ストッカー１に配設した第１排出装置と取り出し口３ｃとの間に備えるので、商品購入希望者は観覧車４の皿４ｄ、４ｄ’に乗ったカプセルを、透明カバー５と透明窓２ａとを介してカプセル商品自動販売機Ａの外側から目視することができ、操作ボタン３ａ、３ａ’を手動操作して観覧車４を作動させ、停止ボタン３ｂ、３ｂ’を手動操作し第２排出装置を作動させて所望の商品を収納したカプセルを皿４ｄ、４ｄ’から排出させ、取り出し口３ｃから取り出すことができる。
商品購入者は、従来のカプセル商品自動販売機に比べて容易に所望の商品を取り出すことができるので、カプセル商品自動販売機Ａに魅力を感じる。この結果、カプセル商品自動販売機Ａの顧客誘引力が向上する。
【００２２】
観覧車収納部２の平坦な底壁の上面前部が形成する展示スペース１０上に玩具を収納したカプセルを載置することができる。
観覧車４は商品購入希望者の注意を引くので、観覧車４の周りに展示スペース１０を配設し、展示スペース１０に玩具を収納したカプセルを載置することにより、カプセルの中身である玩具を商品購入希望者に容易に認識させることができ、カプセル商品自動販売機Ａの顧客誘引力が向上する。
【００２３】
カプセルが螺旋状のシュート６、６’を転がり落ちる様が商品購入希望者の興味を引くことにより、カプセル商品自動販売機Ａの顧客誘引力が向上する。
右側の爪部材８、左側の爪部材を駆動して稼働位置へ移動させることにより、観覧車４の無限軌道に沿って移動する皿４ｄ、４ｄ’を爪部材に係合させて傾斜させ、皿４ｄ、４ｄ’からカプセルを排出させることができる。
右側の爪部材８、左側の爪部材が、皿４ｄ、４ｄ’に係合可能な稼働位置に在る時にのみシュート入口６ａ、６ａ’を開くことにより、取り出し口３ｃへのカプセルの予定外の搬出を防止することができる。
右側の爪部材８、左側の爪部材と右側のゲート部材７、左側のゲート部材７’とを一体化することにより、部品数が減少する。
皿４ｄ、４ｄ’に代えて、浅い椀状或いは浅い鉢状のカプセル収容部材を用いても良い。
【図面の簡単な説明】
【００２４】
【図１】本考案の実施例に係るカプセル商品自動販売機の外観図である。（ａ）は斜視図であり、（ｂ）は正面図であり、（ｃ）は右側面図である。
【図２】本考案の実施例に係るカプセル商品自動販売機の観覧車と観覧車を収容する透明カバーの斜視図である。（ａ）は全体斜視図であり、（ｂ）は部分拡大斜視図である。
【図３】本考案の実施例に係るカプセル商品自動販売機の観覧車の斜視図である。（ａ）は全体斜視図であり、（ｂ）は透明カバーの左半部分を取り付けた状態での部分拡大斜視図である。
【図４】本考案の実施例に係るカプセル商品自動販売機の第２排出装置とゲートとの作動を説明する観覧車の正面図である。
【符号の説明】
【００２５】
Ａ  カプセル自動販売機
１  ストッカー
２  観覧車収納部
３  ベース
４  観覧車
４ｃ  右支持腕
４ｃ’左支持腕
４ｄ  右皿
４ｄ’左皿
５  透明カバー
６  右シュート
６’左シュート
７  右ゲート
７’左ゲート
８  右爪部材
９  モータ
１０  展示スペース
【図１】
0003139189.tif 000003
【図２】
0003139189.tif 000004
【図３】
0003139189.tif 000005
【図４】
0003139189.tif 000006